【手続補正書】
【提出日】平成16年10月6日(2004.10.6)
【手続補正１】
【補正対象書類名】明細書
【補正対象項目名】全文
【補正方法】変更
【補正の内容】
【書類名】  明細書
【発明の名称】  空気清浄装置
【特許請求の範囲】
【請求項１】  内部に浄化風路を有する本体と、前記浄化風路の内部に設けられた空気中の汚染ガスを吸着する吸着手段と、前記吸着手段の近傍もしくは接触して配置された前記吸着手段に吸着した汚染ガスを脱着および分解する少なくとも一つの加熱手段と、空気中の汚染ガスを吸着させる吸着モードと吸着した汚染ガスを脱着し分解する脱着分解モードを切り替える切替手段と、前記切替手段を制御する制御手段とを備え、前記脱着分解モード動作時に送風手段を前記浄化風路よりも空気流の上流側に配置した空気清浄装置。
【請求項２】  空気中の汚染ガスを吸着させる吸着モードと吸着した汚染ガスを脱着し分解する脱着分解モードを備え、内部に浄化風路を有する本体と、前記浄化風路の内部に設けられた空気中の汚染ガスを吸着する吸着手段と、前記吸着手段の下部に配置された前記吸着手段に吸着した汚染ガスを脱着させる加熱手段と、前記吸着手段の上部に配置された前記吸着手段から脱着した汚染ガスを分解する分解手段と、前記浄化風路の下部に設けられた送風手段とから構成される空気清浄装置。
【請求項３】  吸着モード動作時は、汚染ガスを含む空気を浄化風路から送風手段の方向に流す構成とした請求項２記載の空気清浄装置。
【請求項４】  吸着モード動作時は、汚染ガスを含む空気を送風手段から浄化風路の方向に流す構成とした請求項２記載の空気清浄装置。
【請求項５】  脱着分解モード動作時は、送風手段を停止する請求項２記載の空気清浄装置。
【請求項６】  脱着分解モード動作時は、送風手段の送風量を吸着モード動作時よりも小さくして送風手段を動作させる請求項２記載の空気清浄装置。
【発明の詳細な説明】
【０００１】
【発明の属する技術分野】
本発明は燃焼機器の排ガス、煙草の臭気、建材、壁、家具から発生するホルムアルデヒド、キシレン、トルエンを代表成分とする揮発性有機化合物などの汚染ガスを吸着し、その後加熱処理によって分解して浄化する再生機能を有する空気清浄装置に関するものである。
【０００２】
【従来の技術】
従来よりこの種の機能を有する空気清浄装置としては、特開平３−６８４１９号公報に記載されているようなものがある。この装置は図３に示すように、空気清浄装置本体１の内部に静電フィルタ２と脱臭装置３と送風ファン４が設けた構成であり、脱臭装置３は酸化触媒５で吸着剤６をサンドイッチするような形で設置し、さらにその外側に電熱線の加熱ヒータ７を配置した構成となっている。この構成によって送風ファン４を作動させると、室内の汚染ガスを含む空気が気流入口から空気清浄装置本体１の内部に導かれ、吸着剤６に汚染ガスが吸着する。そして吸着剤６が汚染ガスの吸着によって飽和すると、送風ファン４が停止され、加熱ヒータ７に通電して吸着剤６と酸化触媒５を加熱することにより、吸着剤６に吸着していた汚染ガスを脱着させる。この脱着した汚染ガスは加熱によって活性化している酸化触媒５で酸化分解して除去され、吸着剤６の再生が行われるというものであった。
【０００３】
【発明が解決しようとする課題】
しかしながら、上記従来の空気清浄装置は脱臭装置３を構成する酸化触媒５、吸着剤６、加熱ヒータ７が水平方向に並ぶように設けてあるので、再生処理時において加熱ヒータ７によって加熱された空気は気流出口方向にも移動し、高温空気によって送風ファン４が加熱されるため、耐熱性材料で送風ファン４の羽を構成する必要があるとともに、モータ軸部は断熱する必要があり、構造が複雑で経済性に劣るという課題を有する。
【０００４】
また、酸化触媒５と吸着剤６の下部は加熱ヒータ７で加熱されても加熱された空気が上部に移動するために熱伝達が悪くなり、その部分に吸着している汚染ガスを脱着させるのに時間を要し、再生完了の時間が長くなるとともに、酸化触媒５の活性化温度に達するのに時間を要し、脱着した汚染ガスが酸化分解されないで放出されるという課題を有する。
【０００５】
また、燃焼機器の排ガスや建材、壁、家具から発生する揮発性有機化合物は沸点が２００℃以上の成分が含まれ、短時間で高沸点成分を脱着させるには吸着剤６を高温に加熱する必要があるが、図３で示す構成の酸化触媒５と吸着剤６は加熱面積が大きく、これを短時間で均一に加熱するためには加熱ヒータ７の消費電力が大きくなるという課題を有する。
【０００６】
【課題を解決するための手段】
本発明は上記課題を解決するために、空気中の汚染ガスを吸着除去する吸着モードと吸着したガスを加熱によって脱着した汚染ガスを分解浄化する脱着分解モードの機能を有する浄化風路内に設けられた吸着手段、加熱手段よりなる空気清浄装置において、脱着分解モード動作時に加熱された空気が送風手段を通過しないように前記送風手段を前記浄化風路よりも空気流の上流側に配置した構成としたものである。
【０００７】
上記発明によれば、脱着分解モード動作時において加熱手段で加熱された空気は送風手段の方向とは逆の方向に流れるため、浄化風路よりも上流に配置した送風手段は加熱された空気の流入による温度上昇が抑制され、熱による損傷を防止することができるとともに、断熱する構造、材料を必要とせず、簡単な構成とすることができる。また、吸着手段を輻射と加熱された空気の対流を利用して加熱できるので加熱効率が高く、加熱に必要な電力量を少なくすることができる。
【０００８】
【発明の実施の形態】
本発明は、内部に浄化風路を有する本体と、前記浄化風路の内部に設けられた空気中の汚染ガスを吸着する吸着手段と、前記吸着手段の近傍もしくは接触して配置された前記吸着手段に吸着した汚染ガスを脱着および分解する少なくとも一つの加熱手段と、空気中の汚染ガスを吸着させる吸着モードと吸着した汚染物質を脱着し分解する脱着分解モードを切り替える切替手段と、前記切替手段を制御する制御手段とを備え、前記脱着分解モードの動作時に送風手段を前記浄化風路よりも空気流の上流側に配置したものである。
【０００９】
そして、脱着分解モード動作時において加熱手段で吸着手段を加熱しても送風手段が浄化風路よりも空気流の上流に配置されているので、送風手段は加熱された空気の流入による温度上昇が抑制され、熱による損傷を防止することができるとともに、複雑な断熱構造や高価な材料を必要とせず、簡単な構成とすることができる。
【００１０】
また、空気中の汚染ガスを吸着させる吸着モードと吸着した汚染物質を脱着し分解する脱着分解モードを備え、内部に浄化風路を有する本体と、前記浄化風路の内部に設けられた空気中の汚染ガスを吸着する吸着手段と、前記吸着手段の下部に配置された前記吸着手段に吸着した汚染ガスを脱着させる加熱手段と、前記吸着手段の上部に配置された前記吸着手段から脱着した汚染ガスを分解する分解手段と、前記浄化風路の下部に設けられた送風手段とから構成されるものである。
【００１１】
そして、脱着分解モード動作時において加熱手段で吸着手段を加熱しても送風手段が浄化風路の下部に配置されているので、加熱された空気は浄化風路の上部に向かって流れ、送風手段には外部から吸引された室温の空気が流入するため、脱着した汚染ガスが送風手段に流入することがなく、室内への放出を防止することができる。また、吸着手段と分解手段は加熱された空気の対流と加熱手段からの輻射により短時間で昇温させることができるため、脱着分解の処理時間が短縮されるとともに、未分解の汚染ガスの室内への放出を防止することができる。また、加熱に必要な消費電力を少なくすることができる。
【００１２】
また、吸着モード動作時は汚染ガスを含む空気を浄化風路から送風手段の方向に流す構成としたものである。
【００１３】
そして、汚染ガスを含む空気は浄化風路内の分解手段、吸着手段の順で通過し送風手段に流入するので、煙草の煙などの汚染粒子は分解手段と吸着手段で除去することができ、送風手段の汚染を防止することができる。
【００１４】
また、吸着モード動作時は汚染ガスを含む空気を送風手段から浄化風路の方向に流す構成としたものである。
【００１５】
そして、汚染ガスを含む空気は浄化風路より先に送風手段に流入するので、送風手段は煙草の煙などの汚染粒子によって汚染され、二次的に汚染ガスを発生するが、浄化風路に設けている吸着手段に吸着除去されるので室内への汚染ガスの放出を防止することができる。
【００１６】
また、脱着分解モード動作時は送風手段を停止するものである。
【００１７】
そして、加熱手段によって加熱された空気は自然対流で加熱手段の上部に上昇する流れになるので送風手段への加熱空気の流入を防止できるとともに、触媒手段を通過する空気の流速を遅くできるので脱着した汚染ガスと分解手段との接触効率が高くなり、優れた分解性能を実現することができる。
【００１８】
また、脱着分解モード動作時は送風手段の送風量を吸着モード動作時よりも少なくして送風手段を動作させるものである。
【００１９】
そして、送風手段をわずかに回転させることにより、吸着モード動作時の空気の流れが浄化風路から送風手段の方向に流れる構成の場合は、脱着分解時の加熱された空気の流速を自然対流の流速よりも遅くすることができるので、送風手段を停止した場合よりも脱着した汚染ガスと分解手段との接触効率が高くなり、一層優れた分解性能を実現することができる。一方、吸着モード動作時の空気の流れが送風手段から浄化風路の方向に流れる構成の場合は、脱着分解時において加熱手段で加熱した空気の流速を自然対流の流速よりも速くすることができるので、送風手段を停止した場合よりも吸着手段と分解手段の昇温速度を速くすることができ、脱着分解処理の時間を短縮することができる。
【００２０】
【実施例】
以下本発明の実施例について図面を用いて説明する。
【００２１】
（実施例１）
図１は本発明の実施例１の空気清浄装置の横断面図である。
【００２２】
図において、１１は空気清浄装置本体の内部に設けられた浄化風路であり、浄化風路１１の内部には空気中の臭気や建材、壁、家具から発生するアルデヒドなどの揮発性有機化合物などの汚染ガスを吸着する吸着手段１２と、吸着手段１２の下部に配置された吸着手段１２を加熱し吸着している汚染ガスを脱着させる加熱手段１３と、吸着手段１２の上部に配置された脱着した汚染ガスを分解する分解手段１４が設けられており、浄化風路１１の下部には送風手段１５としてクロスフローファンが取り付けられている。図中、実線矢印は室内の空気中に含まれる汚染ガスを吸着除去する吸着モード動作時の空気の流れを示し、また点線矢印は吸着手段１２に吸着した汚染ガスを脱着させ分解する脱着分解モード動作時の空気の流れを示している。この吸着モードと脱着分解モードの切り替えは、加熱手段１３と分解手段１４と送風手段１５が電気的に接続された切替手段１６と切替手段１６を制御する制御手段１７によって行われる。
【００２３】
吸着手段１２はアルミナ・シリカを主成分とする通風孔を有するハニカム状の構造体に吸着剤がコーティングされたものであり、汚染ガスは吸着剤粒子の細孔に吸着される。また、分解手段１４は通風孔を有するエキスパンド金属板を電気発熱体とし、これに汚染ガスの酸化分解能力を高めるための酸化触媒を担持して構成されている。
【００２４】
次に動作、作用について説明する。
【００２５】
（１）吸着モード
電源（図示せず）を入れると制御手段１７の指令により切替手段１６が吸着モードを作動させる。すなわち送風手段１５であるファンが作動し、図中の実線矢印示すように室内の汚染ガスを含む空気は吸入口１８から浄化風路１１に流入し、分解手段１４、吸着手段１２、加熱手段１３の順に通過する。空気中に含まれる汚染ガスは吸着手段１２の吸着剤に選択的に吸着され、浄化された空気が送風手段１５を通り吹出口１９から室内に戻される。この吸着モードが動作している間は加熱手段１３、分解手段１４は作動せず、空気に含まれる汚染ガスの吸着による除去のみが行われ、室内が浄化される。
【００２６】
（２）脱着分解モード
吸着モードで所定の時間運転すると、制御手段１７の指令により、切替手段１６が働いて脱着分解モードを作動させる。先ず送風手段１５であるファンを停止し、吸着手段１２の下部に配置している加熱手段１３と分解手段１４を発熱させる。吸着手段１２は加熱手段１３で加熱された空気の自然対流による上昇気流と加熱手段１３からの輻射によって加熱され、吸着手段１２に吸着している汚染ガスが脱着される。脱着した汚染ガスは図中の点線矢印で示すように自然対流で上昇し、分解手段１４に導かれ、すでに加熱によって活性化された状態にある分解手段１４の触媒によって無害な炭酸ガスと水蒸気に酸化分解される。浄化された空気は吸入口１８より室内に排出される。吸着手段１２に吸着していた汚染ガスのほとんどが脱着、分解されると加熱手段１３、分解手段１４の加熱は制御手段１７によって停止され、脱着分解モードが終了する。上記吸着モードと脱着分解モードを繰り返すことにより、汚染ガスの浄化をメンテナスフリーで行うことができる。
【００２７】
脱着分解モード動作時において、加熱手段１３で加熱された空気は自然対流によって浄化風路１１の上部に向かって流れるので、浄化風路１１の下部（浄化風路１１よりも空気流の上流）に配置されている送風手段１５は加熱による温度上昇が抑制され、熱による損傷を防止することができるとともに、複雑な断熱構造や高価な材料を必要としないので簡単な構成とすることができる。
【００２８】
また、燃焼機器の排ガスや建材、壁、家具から発生する揮発性有機化合物は沸点が２００℃以上の成分が含まれ、短時間で高沸点成分を脱着させるには吸着手段１２を速く昇温させる必要があるが、吸着手段１２は加熱された空気と加熱手段１３からの輻射による効率的な加熱が可能であるので短時間で昇温させることができ、脱着分解の処理時間を短縮することができる。
【００２９】
また、加熱手段１３、分解手段１４は脱着分解モード時のみ作動させるので電力消費量を少なくすることができるとともに、室内温度を上昇させないのでオールシーズンに渡り空気清浄装置として使用することができる。
【００３０】
また、吸着モード動作時は汚染ガスを含む空気が浄化風路１１内の分解手段１４、吸着手段１２、加熱手段１３の順で通過した後、送風手段１５に流入する構成としているので、煙草の煙などの汚染粒子は分解手段１４と吸着手段１２で除去することができ、送風手段の汚染や汚染された送風手段１５からの汚染ガスの発生を防止することができる。
【００３１】
また、脱着分解モード動作時は送風手段１５を停止させることにより、加熱手段１３で加熱された空気は浄化風路１１の上部に向かって自然対流で上昇する流れが起こり、脱着した汚染ガスが送風手段１５の方向に逆流することはなく、室内への脱着した汚染ガスの放出を防止することができる。また、分解手段１４を通過する空気は自然対流による流速であるので脱着した汚染ガスと分解手段１４の触媒との接触効率が高くなり、優れた分解性能を実現することができ、未分解の汚染ガスの室内への放出を抑制することができる。
【００３２】
上記脱着分解モード動作中は送風手段１５を停止したが、送風手段１５を吸着モード動作時よりも送風量を少なくして動作させることもできる。この場合、送風手段１５をわずかに回転させることにより、自然対流で浄化風路１１の上部へ上昇する加熱空気を送風手段１５の方向へ戻すように作用するので、加熱空気の流速を自然対流の流速よりも遅くなり、送風手段を停止した場合よりも脱着した汚染ガスと分解手段１４との接触効率が高くなり、一層優れた分解性能を実現することができる。送風手段１５による吸引流速は自然対流で上昇する流速よりも遅くすることが望ましい。
【００３３】
また、分解手段１４はエキスパンド金属板に直接通電して発熱させる構成とすることにより、昇温速度が速く、エキスパンド金属板に担持された触媒を短時間で活性化温度に昇温させることができるので、吸着手段１２から脱着した汚染ガスを未分解のまま通過させることなく分解浄化でき、優れた触媒性能を実現することができる。
実施例では吸着手段１２としてアルミナ・シリカを主成分とする通風孔を有するハニカム状の構造体に吸着剤がコーティングされたものを用いたが、この構成に限定されるものではなく、吸着剤を成形した多孔体なども適用できる。また、吸着剤としては汚染ガスを吸着できるものであればすべて適用可能であるが、高沸点の揮発性有機化合物を脱着する場合は吸着手段１２を２００℃以上加熱する必要があることから、耐熱性の高いゼオライトやシリカゲルが好ましい。
【００３４】
また、加熱手段１３は吸着手段１２に吸着した汚染ガスを脱着させる目的に用いるものであり、電熱線による電気発熱体、金属もしくはセラミックの面状の電気発熱体や吸着手段１２自身あるいはその近傍に磁性体材料を配置して誘導加熱する方法も適用可能である。
【００３５】
また、分解手段１４は脱着した汚染ガスを酸化分解し浄化するものであり、実施例で述べたエキスンド金属板の電気発熱体以外にも金網を発熱体としたものや加熱手段１３も適用可能である。また、分解手段１４に用いる触媒は汚染ガスの酸化分解能力を高めるために用いるものであり、触媒材料としてはＣu、Ｍn、Ｃo、Ｆe、Ｎi、Ｓi、Ａlの酸化物もしくはＰt、Ｐd、Ｒh、Ａu、Ａgの金属の少なくとも１種が適用されるが、特に耐熱性と触媒活性に優れたＰt、Ｐd、Ｒh、Ａu、Ａgの微粒子が好ましい。また、分解手段１４が６００℃以上の高温が実現できれば熱による汚染ガスの分解が可能となるので触媒を用いる必要はない。
【００３６】
（実施例２）
図２は本発明の実施例２の空気清浄装置の横断面図である。
【００３７】
実施例１と異なる点は、分解手段１４の代わりにエキスパンド金属板に触媒を担持した触媒体２０と触媒体を間接的に加熱する電熱線ヒータよりなる触媒加熱手段２１を用いたこと、また送風手段１５の代わりに、送風手段１５とは逆の方向に回転するように送風手段２２を取り付け、吸着モードでの送風方向を図中実線矢印で示すように汚染ガスを含む空気を実施例１とは逆の方向に流れる構成としたところである。
【００３８】
なお、実施例１と同一符号のものは同一構造を有し、説明は省略する。
【００３９】
次に、動作、作用について説明する。
【００４０】
（１）吸着モード
送風手段２２であるファンが作動し、図中の実線矢印示すように室内の汚染ガスを含む空気は吸入口２３から送風手段２２を介して浄化風路１１に流入し、加熱手段１３、吸着手段１２、触媒加熱手段２１、触媒体２０の順に通過する。空気中に含まれる汚染ガスは吸着手段１２の吸着剤に選択的に吸着され、浄化された空気が吹出口２４から室内に戻される。この吸着モードが動作している間は加熱手段１３、触媒加熱手段２１は作動せず、空気に含まれる汚染ガスの吸着による除去のみが行われ、室内が浄化される。
【００４１】
（２）脱着分解モード
吸着モードで所定の時間運転すると、脱着分解モードを作動させる。先ず送風手段２２であるファンを停止し、吸着手段１２の下部に配置している加熱手段１３と触媒体２０の下部に配置している触媒加熱手段２１が発熱を開始する。吸着手段１２は加熱手段１３によって吸着手段１２に吸着している汚染ガスが脱着され、脱着した汚染ガスは図中の点線矢印で示すように自然対流で上昇し、触媒体２０に導かれ、すでに活性化された状態にある触媒体２０によって無害な炭酸ガスと水蒸気に酸化分解される。浄化された空気は吹出口２４より室内に排出される。吸着手段１２に吸着していた汚染ガスのほとんどが脱着、分解されると加熱手段１３、触媒加熱手段２１が停止され、脱着分解モードが終了する。
【００４２】
吸着モード動作時において、浄化風路１１より先に送風手段２２に流入することになるので送風手段２２は空気中に含まれる煙草の煙などの汚染粒子によって汚染される。送風手段２２から付着した汚染物質から再び汚染ガス（煙草臭など）を発生するが、吸着モード及び脱着分解モードでの空気が送風手段２２から浄化風路１１に流れる構成であるため、吸着手段１２に吸着除去されることになり、室内への汚染ガスの放出が防止される。
【００４３】
なお、脱着分解モード動作時については実施例１と同じ構成であるので同様な効果が得られる。
【００４４】
また、触媒体２０はエキスパンド金属板に汚染ガスを酸化分解する触媒を担持した構成であり、熱容量が小さくかつ熱伝導に優れているので触媒加熱手段２１による間接加熱でも昇温速度を速くすることができる。したがって、エキスパンド金属板に担持された触媒を短時間で活性化温度に昇温させることができるので、吸着手段１２から脱着した汚染ガスを未分解のまま通過させることなく分解浄化でき、優れた触媒性能を実現することができる。
【００４５】
また、上記脱着分解モード動作中は送風手段２２を停止したが、送風手段２２を吸着モード動作時よりも送風量を少なくして動作させることもできる。この場合、送風手段１５をわずかに回転させることにより、脱着分解時において加熱手段１３及び触媒加熱手段２１で加熱した空気の流速が自然対流の流速よりも速くなり、加熱された空気の熱を吸着手段１２と触媒体２０に効率よく伝達されるので、送風手段２２を停止した場合よりも吸着手段１２と触媒体２０の昇温速度を速くすることができ、脱着分解処理の時間を一層短縮することができる。
【００４６】
実施例では触媒体２０としてエキスパンド金属板に触媒を担持したものを用いたが、これに限定されるものでなく、アルミナ・シリカなどのハニカム状のセラミックに実施例１で述べた触媒材料を担持したものも適用できる。
【００４７】
また、触媒加熱手段２１として電熱線ヒータを用いたが、これに限定されるものでなく、金属やセラミックの面状発熱体も適用可能である。
【００４８】
【発明の効果】
以上のように本発明の請求項１および請求項２によれば、汚染ガスの脱着分解モード動作時において、送風手段を加熱手段、吸着手段、分解手段を配置した浄化風路よりも加熱された空気流の上流（送風手段を浄化風路の下部）に配置しているので、送風手段への加熱された空気の流入による温度上昇が抑制され、熱による送風手段の損傷を防止することができるとともに、複雑な断熱構造や高価な材料を必要とせず、簡単な構成とすることができる。また、加熱された空気は浄化風路の上部に向かって流れ、送風手段には外部から吸引された室温の空気が流入するため、脱着した汚染ガスが送風手段に逆流することがなく、室内への放出を防止することができる。また、吸着手段と分解手段は加熱された空気の対流と加熱手段や触媒加熱手段からの輻射により短時間で昇温させることができるため、脱着分解の処理時間が短縮され、加熱に必要な電力を少なくすることができる。
【００４９】
また請求項３によれば、吸着モード動作時は汚染ガスを含む空気を浄化風路から送風手段の方向に流す構成としているので、煙草の煙などの汚染粒子は分解手段と吸着手段で除去することができ、送風手段の汚染を防止することができる。
【００５０】
また請求項４によれば、吸着モード動作時に汚染ガスを含む空気を送風手段から浄化風路の方向に流す構成とした場合、送風手段が煙草の煙などの汚染粒子によって汚染され、二次的に汚染ガスを発生するが、浄化風路に設けている吸着手段に吸着除去されるので室内への汚染ガスの放出を防止することができる。
【００５１】
また請求項５によれば、脱着分解モード動作時に送風手段を停止する構成とした場合は、加熱手段によって加熱された空気は自然対流で加熱手段の上部に上昇する流れになるので送風手段への加熱空気の流入を防止できるとともに、分解手段を通過する空気の流速を遅くできるので脱着した汚染ガスと分解手段との接触効率が高くなり、優れた分解性能を実現することができる。
【００５２】
また請求項６によれば、脱着分解モード動作時に送風手段の送風量を吸着モード動作時よりも少なくして動作させることにより、吸着モード動作時の空気の流れが浄化風路から送風手段の方向に流れる構成の場合は、加熱された空気の流速を自然対流の流速よりも遅くすることができるので汚染ガスと分解手段との接触効率が高くなり、一層優れた分解性能を実現することができる。一方吸着モード動作時の空気の流れが送風手段から浄化風路の方向に流れる構成の場合は、加熱された空気の流速を自然対流の流速よりも速くすることができるので、吸着手段と分解手段の昇温速度を速くすることができ、脱着分解処理の時間を短縮することができる。
【図面の簡単な説明】
【図１】
本発明の実施例１の空気清浄装置の横断面図
【図２】
本発明の実施例２の空気清浄装置の横断面図
【図３】
従来の空気清浄装置の横断面図
【符号の説明】
１１  浄化風路
１２  吸着手段
１３  加熱手段
１４  分解手段
１５  送風手段
１６  切替手段
１７  制御手段
２０  触媒体
２１  触媒加熱手段